(57)【特許請求の範囲】
【請求項１】
光ディスクに情報を記録したり、光ディスクに記録された情報を再生したりする光ディスク記録再生装置において、
挿入された光ディスクがＤＶＤ＋Ｒの規格の光ディスクであって、この光ディスクにタイトルをＶｉｄｅｏフォーマットで記録させる場合、１タイトルの記録では、ビデオタイトルセットに含まれるビデオオブジェクトセットおよびビデオタイトルセット情報のバックアップのみをデータ領域において、領域を空けずに記録させ、ファイナライズ時にリザーブド領域に、ファイルシステムとビデオ管理情報を記録させると共に、前記ビデオタイトルセット情報をタイトルの記録によって前記光ディスクに存在するタイトル分だけ記録させるシステムコントローラを備えたことを特徴とする光ディスク記録再生装置。
【請求項２】
前記システムコントローラは、
挿入された光ディスクがＤＶＤ＋Ｒの規格の光ディスクであって、この光ディスクにタイトルをＶｉｄｅｏフォーマットで記録させる場合、
当該タイトルのビデオタイトルセットに含まれるビデオオブジェクトセットを前記光ディスクのデータ領域に記録させるビデオオブジェクトセット記録手段と、
前記ビデオオブジェクトセットを記録した次にビデオタイトルセット情報のバックアップを前記光ディスクのデータ領域に記録させるバックアップ記録手段と、
記録するタイトルが無くなるまで、ビデオオブジェクトセット記録手段とバックアップ記録手段との処理を繰り返し、前記記録するタイトルが無くなると、記録を終了させる記録終了手段と、
前記記録が終了後、ファイナライズ指示を受けたとき、ファイナライズを開始させ、前記光ディスクのリザーブド領域に、ファイルシステムとビデオ管理情報とビデオタイトルセット情報とを記録させるリザーブド領域記録手段と、を有することを特徴とする請求項１に記載の光ディスク記録再生装置。
【請求項３】
ビデオタイトルセットに含まれるビデオオブジェクトセットとは、ＤＶＤ規格のＶＴＳＴＴ＿ＶＯＢＳのことであり、ビデオタイトルセット情報のバックアップとは、ＤＶＤ規格のＶＴＳＩ＿ＢＵＰｊのことであり、ビデオタイトルセット情報とは、ＤＶＤ規格のＶＴＳＩであることを特徴とする請求項１または請求項２に記載の光ディスク記録再生装置。
【発明の詳細な説明】
【技術分野】
【０００１】
本発明は、光ディスクに情報を記録したり、光ディスクに記録された情報を再生したりする光ディスク記録再生装置に関する。
【背景技術】
【０００２】
近年、テレビ番組や映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷなどが知られている。これらのＤＶＤに記録された情報は、光ディスク再生装置（ＤＶＤプレイヤ）、または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷへの情報の記録は、光ディスク記録再生装置（ＤＶＤレコーダ）で可能である。
【０００３】
ここでは、それらの種類の光ディスクのうち、ＤＶＤ＋Ｒの光ディスクに対する記録および再生について説明することにする。従来の光ディスク記録再生装置が行うＤＶＤ＋Ｒの光ディスクに対する記録および再生の処理は、次のようにして行われる。
【０００４】
先ず、従来の光ディスク記録装置が行うＤＶＤ＋Ｒの光ディスクに対する記録制御について説明する。ＤＶＤ＋Ｒの光ディスクが装置に挿入されて、ローディング（ディスク情報を読み出すマウント処理）されることにより、光ディスクがＤＶＤ＋Ｒの光ディスクであると判定される。この後、リモコンの記録キーの操作、または記録予約（録画予約）による記録開始時刻に応答して、＋ＶＲモード（ＤＶＤ＋ＲのＶＲフォーマット）でＤＶＤ＋Ｒの光ディスクに対する記録が開始される。
【０００５】
このようにして、光ディスクに対する記録が開始され、最初に記録される情報が、タイトルＴ１として光ディスクのデータ領域に記録され、このタイトルＴ１の記録が終了すると、タイトルＴ１の後に、このタイトルＴ１のタイトル情報を示すＲＳＡＴ（リザーブド・スペース・アロケーション・テーブル；Reserved Space Allocation Table）が記録される。また、次に記録される情報が、タイトルＴ２として光ディスクのデータ領域に記録され、このタイトルＴ２の記録が終了すると、タイトルＴ２の後に、このタイトルＴ２のタイトル情報を示すＲＳＡＴが記録される。更に、次に記録される情報が、タイトルＴ３として光ディスクのデータ領域に記録され、このタイトルＴ３の記録が終了すると、タイトルＴ３の後に、このタイトルＴ３のタイトル情報を示すＲＳＡＴが記録される。
【０００６】
次に、従来の光ディスク記録装置が行うＤＶＤ＋Ｒの光ディスクに対する再生処理について説明する。
【０００７】
先ず、ＤＶＤ＋Ｒの光ディスクが装置に挿入されて、ローディングされることにより、光ディスクがＤＶＤ＋Ｒの光ディスクであると判定され、この光ディスクに記録されているタイトルのリストが再生リストとしてディスプレイ装置に表示される。そして、ユーザが、リモコンを操作して、再生リストから再生を希望するタイトルを選択・決定すると、光ディスク記録再生装置は、当該タイトルのＲＳＡＴを読み出し、このＲＳＡＴに基づいてファイルシステムおよび制御情報などの解析を行って、当該タイトルの再生を行う。
【特許文献１】特開２００４−１６４８０９号公報
【特許文献２】特開２００６−１０７６６５号公報
【発明の開示】
【発明が解決しようとする課題】
【０００８】
しかしながら、ＤＶＤ−ＲやＤＶＤ−ＲＷの光ディスクに対して情報を記録／再生できるようにするＶｉｄｅｏフォーマットのソフトウエアがフラッシュＲＯＭに記憶された光ディスク記録再生装置の場合には、ＤＶＤ＋Ｒの光ディスクに対して情報を記録できるようにするＶＲフォーマットのソフトウエアがフラッシュＲＯＭに記憶されていないので、ＤＶＤ＋Ｒの光ディスクに対して情報を記録することができない。そこで、ＶｉｄｅｏフォーマットとＶＲフォーマットの両方のソフトウエアをフラッシュＲＯＭに記憶させた光ディスク記録再生装置が考えられるが、この場合、Ｖｉｄｅｏフォーマットのライセンス料とＶＲフォーマットのライセンス料の両方が必要となると共に、それらのソフトウエアを記憶するフラッシュＲＯＭの容量が大きくなり、この結果、光ディスク記録再生装置がコストアップすると言う課題が生じる。
【０００９】
なお、特許文献１の従来技術は、テレビで放送中の番組などを、その場でＤＶＤ＋Ｒの光ディスクに記録する場合に、ユーザデータの記録要求に応じて、管理情報の記録に先立って、ユーザデータの記録を行い、ユーザデータの記録後に管理情報の記録を行うようにしているが、ＤＶＤ＋Ｒの光ディスクに情報を記録するフォーマットはＶＲフォーマットであるので、前記のような課題を解決できるものではない。
【００１０】
特許文献２の従来技術は、ＤＶＤ−Ｒの光ディスクに対してＶｉｄｅｏフォーマットにより情報を記録する場合について開示されているが、ＤＶＤ＋Ｒの光ディスクに対して情報を記録する場合については開示されてない。
【００１１】
本発明は、上記のような課題を解決するためになされたもので、ＤＶＤ＋Ｒの光ディスクに対してもＶｉｄｅｏフォーマットで記録を可能とする光ディスク記録再生装置を提供することを目的とする。
【課題を解決するための手段】
【００１２】
上記目的を達成するために、請求項１の発明は、光ディスクに情報を記録したり、光ディスクに記録された情報を再生したりする光ディスク記録再生装置において、挿入された光ディスクがＤＶＤ＋Ｒの規格の光ディスクであって、この光ディスクにタイトルをＶｉｄｅｏフォーマットで記録させる場合、１タイトルの記録では、ビデオタイトルセットに含まれるビデオオブジェクトセットおよびビデオタイトルセット情報のバックアップのみをデータ領域において、領域を空けずに記録させ、ファイナライズ時にリザーブド領域に、ファイルシステムとビデオ管理情報を記録させると共に、前記ビデオタイトルセット情報をタイトルの記録によって前記光ディスクに存在するタイトル分だけ記録させるシステムコントローラを備えたことを特徴とする光ディスク記録再生装置を提供する。
【００１３】
この構成によれば、ＤＶＤ＋Ｒの光ディスクは、Ｖｉｄｅｏフォーマットで記録が可能になるので、光ディスク記録再生装置の情報記録フォーマットとしてＶｉｄｅｏフォーマットだけを採用するだけで、ＤＶＤ＋Ｒ、ＤＶＤ−Ｒ、ＤＶＤ−ＲＷの光ディスクに対して記録が可能になり、ライセンス料はＶｉｄｅｏフォーマットのライセンス料のみとなり、また、情報記録フォーマットとしては、ＶｉｄｅｏフォーマットのソフトウエアだけをフラッシュＲＯＭに記憶させれば良いので、フラッシュＲＯＭの容量が小さくて済む。したがって、Ｖｉｄｅｏフォーマットのみを採用している光ディスク記録再生装置であれば、コストアップせずに、ＤＶＤ＋Ｒの光ディスクに対しても記録を行うことができ、また、ＶｉｄｅｏフォーマットとＶＲフォーマットの両方を採用している光ディスク記録再生装置であれば、Ｖｉｄｅｏフォーマットのみを採用すれば、ライセンス料が低減し、フラッシュＲＯＭの容量も小さくて済むので、コストダウンを図れ、ＤＶＤ＋Ｒの光ディスクに対しても記録を行うことができる。
【００１４】
請求項２の発明では、請求項１の発明において、前記システムコントローラは、挿入された光ディスクがＤＶＤ＋Ｒの規格の光ディスクであって、この光ディスクにタイトルをＶｉｄｅｏフォーマットで記録させる場合、当該タイトルのビデオタイトルセットに含まれるビデオオブジェクトセットを前記光ディスクのデータ領域に記録させるビデオオブジェクトセット記録手段と、前記ビデオオブジェクトセットを記録した次にビデオタイトルセット情報のバックアップを前記光ディスクのデータ領域に記録させるバックアップ記録手段と、記録するタイトルが無くなるまで、ビデオオブジェクトセット記録手段とバックアップ記録手段との処理を繰り返し、前記記録するタイトルが無くなると、記録を終了させる記録終了手段と、前記記録が終了後、ファイナライズ指示を受けたとき、ファイナライズを開始させ、前記光ディスクのリザーブド領域に、ファイルシステムとビデオ管理情報とビデオタイトルセット情報とを記録させるリザーブド領域記録手段と、を有することを特徴とする。
【００１５】
したがって、前記システムコントローラは、ビデオオブジェクトセット記録処理、バックアップ記録処理、記録終了処理、およびリザーブド領域記録処理を実現でき、これにより、ＤＶＤ＋Ｒの光ディスクは、Ｖｉｄｅｏフォーマットで記録可能になり、光ディスク記録再生装置の情報記録フォーマットとしてＶｉｄｅｏフォーマットだけを採用するだけで、ＤＶＤ＋Ｒ、ＤＶＤ−Ｒ、ＤＶＤ−ＲＷの光ディスクに対して記録が可能になる。
【００１６】
請求項３の発明では、請求項１または請求項２の発明において、ビデオタイトルセットに含まれるビデオオブジェクトセットとは、ＤＶＤ規格のＶＴＳＴＴ＿ＶＯＢＳことであり、ビデオタイトルセット情報のバックアップとは、ＤＶＤ規格のＶＴＳＩ＿ＢＵＰことであり、ビデオタイトルセット情報とは、ＤＶＤ規格のＶＴＳＩであることを特徴とする。したがって、ＤＶＤ＋Ｒの光ディスクであっても、Ｖｉｄｅｏフォーマットに従って情報を記録することができる。
【発明の効果】
【００１７】
以上のように本発明によれば、ＤＶＤ＋Ｒの光ディスクは、Ｖｉｄｅｏフォーマットで記録可能になるので、光ディスク記録再生装置の情報記録フォーマットとしてＶｉｄｅｏフォーマットだけを採用するだけで、ＤＶＤ＋Ｒ、ＤＶＤ−Ｒ、ＤＶＤ−ＲＷの光ディスクに対して記録が可能になり、ライセンス料はＶｉｄｅｏフォーマットのライセンス料のみとなり、また、情報記録フォーマットとしては、ＶｉｄｅｏフォーマットのソフトウエアだけをフラッシュＲＯＭに記憶させれば良いので、フラッシュＲＯＭの容量が小さくて済む。
【００１８】
したがって、Ｖｉｄｅｏフォーマットのみを採用している光ディスク記録再生装置であれば、コストアップせずに、ＤＶＤ＋Ｒの光ディスクに対しても記録を行うことができ、また、ＶｉｄｅｏフォーマットとＶＲフォーマットの両方を採用している光ディスク記録再生装置であれば、Ｖｉｄｅｏフォーマットのみを採用すれば、ライセンス料が低減し、フラッシュＲＯＭの容量も小さくて済むので、コストダウンを図れ、ＤＶＤ＋Ｒの光ディスクに対しても記録を行うことができる。
【発明を実施するための最良の形態】
【００１９】
以下、添付図面を参照しつつ、本発明の実施の形態について説明する。図１は本発明の一実施形態に係る光ディスク記録再生装置の構成を示すブロック図である。
【００２０】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２１】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２２】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２３】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２４】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやＶｉｄｅｏフォーマットのソフトウエア（プログラム）などが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２５】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２６】
システムコントローラ２２は、本実施形態の特徴として、挿入された光ディスクがＤＶＤ＋Ｒの規格の光ディスクであって、この光ディスクにタイトルをＶｉｄｅｏフォーマットで記録させる場合、１タイトルの記録では、ビデオタイトルセットに含まれるビデオオブジェクトセットおよびビデオタイトルセット情報のバックアップのみを記録させ、ファイナライズ時にリザーブド領域に、ファイルシステムとビデオ管理情報を記録させると共に、前記ビデオタイトルセット情報をタイトルの記録によって前記光ディスクに存在するタイトル分だけ記録させる。
【００２７】
そして、システムコントローラ２２は、挿入された光ディスクがＤＶＤ＋Ｒの規格の光ディスクであって、この光ディスクにタイトルをＶｉｄｅｏフォーマットで記録させる場合、当該タイトルのビデオタイトルセットに含まれるビデオオブジェクトセットを前記光ディスクのデータ領域に記録させるビデオオブジェクトセット記録手段と、前記ビデオオブジェクトセットを記録した次にビデオタイトルセット情報のバックアップを前記光ディスクのデータ領域に記録させるバックアップ記録手段と、記録するタイトルが無くなるまで、ビデオオブジェクトセット記録手段とバックアップ記録手段との処理を繰り返し、前記記録するタイトルが無くなると、記録を終了させる記録終了手段と、前記記録が終了後、ファイナライズ指示を受けたとき、ファイナライズを開始させ、前記光ディスクのリザーブド領域に、ファイルシステムとビデオ管理情報とビデオタイトルセット情報とを記録させるリザーブド領域記録手段とを有する。
【００２８】
図２は本実施形態においてＤＶＤ＋Ｒの光ディスクに対してＤＶＤ＋ＲのＶｉｄｅｏフォーマットで記録する場合の手順を示すデータ構造図である。図２を参照してＤＶＤ＋Ｒの光ディスクに対してＤＶＤ＋ＲのＶｉｄｅｏフォーマットで記録する場合の手順について説明する。
【００２９】
ＤＶＤ＋ＲのＶｉｄｅｏフォーマットでは、図２（１）に示すように、１タイトル目は、データ領域Ｄにおいて、予め領域を空けずに、ＶＴＳＴＴ＿ＶＯＢＳ（Video Object Set for Titles in a VTS）１０１をリアルタイムで記録し、この記録の終了で更にＶＴＳＩ＿ＢＵＰ（Backup of VTSI）１０２を続けて記録する。ＶＴＳＩとはVideo Title Set Information （ビデオタイトルセット情報）のことを言う。
【００３０】
２タイトル目は、図２（２）に示すように、ＶＴＳＴＴ＿ＶＯＢＳ１０３とＶＴＳＩ＿ＢＵＰ１０４のみを記録し、ＶＴＳＩは記録しない。３タイトル目以降も同様に、図示しないが、ＶＴＳＴＴ＿ＶＯＢＳとＶＴＳＩ＿ＢＵＰのみを記録し、ＶＴＳＩは記録しない。
【００３１】
ファイナライズ処理では、図２（３）に示すように、リザーブド領域Ｒに、ファイルシステム１０５とＶＭＧＩ１０６を記録し、更にＶＴＳＩをタイトルの個数だけ、この例の場合、ＶＴＳＩ（♯１）１０７とＶＴＳＩ（♯２）１０８を記録する。
【００３２】
なお、ＤＶＤ−Ｒの光ディスクでは、規格上、予め領域を空けて記録できるので、１タイトルの記録で、ＶＴＳＩとＶＴＳＴＴ＿ＶＯＢＳとＶＴＳＩ＿ＢＵＰを一度に記録できるが、ＤＶＤ＋Ｒの光ディスクでは、規格上、予め領域を空けて記録することができない（領域を空けて記録するとセッション数が足りなくなる）ので、１タイトルの記録では、ＶＴＳＴＴ＿ＶＯＢＳとＶＴＳＩ＿ＢＵＰのみ記録し、ファイナライズ時にまとめてリザーブド領域にＶＴＳを存在するタイトル分だけ記録する。
【００３３】
ここで、参考として、ＤＶＤ−Ｒの光ディスクに対してＤＶＤ−ＲのＶｉｄｅｏフォーマットで記録する場合の手順について説明する。図３はＤＶＤ−Ｒの光ディスクに対してＤＶＤ−ＲのＶｉｄｅｏフォーマットで記録する場合の手順を示すデータ構造図である。図３を参照してＤＶＤ−Ｒの光ディスクに対してＤＶＤ−ＲのＶｉｄｅｏフォーマットで記録する場合の手順について説明する。
【００３４】
ＤＶＤ−ＲのＶｉｄｅｏフォーマットでは、図３（１）に示すように、１タイトル目は、データ領域Ｄにおいて、予め領域を空けてから、ＶＴＳＴＴ＿ＶＯＢＳ２０１をリアルタイムで記録し、この記録の終了で更にＶＴＳＩ＿ＢＵＰ２０２を続けて記録する。次に、図３（２）に示すように、予め空けておいた領域にＶＴＳＩ２０３を記録する。
【００３５】
２タイトル目は、図３（３）に示すように、データ領域Ｄにおいて、ＶＴＳＴＴ＿ＶＯＢＳ２０４をリアルタイムで記録し、この記録の終了で更にＶＴＳＩ＿ＢＵＰ２０５を続けて記録し、最後にＶＴＳＩ２０６を記録する。３タイトル目以降も同様に、図示しないが、ＶＴＳＴＴ＿ＶＯＢＳとＶＴＳＩ＿ＢＵＰとＶＴＳＩを記録する。
【００３６】
ファイナライズ処理では、図３（４）に示すように、リザーブド領域Ｒに、ファイルシステム２０７とＶＭＧＩ２０８を記録する。
【００３７】
図４は本実施形態においてＤＶＤ＋Ｒの光ディスクに対してＤＶＤ＋ＲのＶｉｄｅｏフォーマットでタイトルの各データを記録した場合の１回記録後と２回記録後とタイトル名変更後とタイトル削除後とファイナライズ後のデータ構造図である。この図４を参照してＤＶＤ＋Ｒの光ディスクに対してＤＶＤ＋ＲのＶｉｄｅｏフォーマットでタイトルの各データを記録した場合の１回記録後と２回記録後とタイトル名変更後とタイトル削除後とファイナライズ後のデータ構造図である。
【００３８】
タイトルの１回記録後では、図４（１）に示すように、１タイトル目は、データ領域において、予め領域を空けずに、ＶＴＳＴＴ＿ＶＯＢＳ（♯１）３０１がリアルタイムで記録され、この記録の終了で更にＶＴＳＩ＿ＢＵＰとしてのＶＴＳ（♯１）３０２とＳｍａｌｌ＿ＶＭＧＩ３０３が記録されている。ＶＭＧＩはビデオ管理情報（Video Management General Information）である。Ｓｍａｌｌ＿ＶＭＧＩ３０３は、タイトル数（１）、ＩＦＯファイル、ＶＯＢファイル、ＢＵＰファイルのスタートアドレス、タイトル名等を示す情報である。
【００３９】
タイトルの２回記録後では、２タイトル目は、図４（２）に示すように、データ領域において、ＶＴＳＴＴ＿ＶＯＢＳ（♯２）３０４がリアルタイムで記録され、この記録の終了で更にＶＴＳＩ＿ＢＵＰとしてのＶＴＳＩ（♯２）３０５とＳｍａｌｌ＿ＶＭＧＩ３０６が記録されている。
【００４０】
タイトル名変更後では、図４（３）に示すように、データ領域において、Ｓｍａｌｌ＿ＶＭＧＩ３０７が記録されている。Ｓｍａｌｌ＿ＶＭＧＩ３０７は、タイトル数（２）、ＩＦＯファイル、ＶＯＢファイル、ＢＵＰファイルのスタートアドレス、タイトル名（変更されたタイトル名）等を示す情報である。
【００４１】
タイトル削除後は、図４（４）に示すように、データ領域において、Ｓｍａｌｌ＿ＶＭＧＩ３０８が記録されている。Ｓｍａｌｌ＿ＶＭＧＩ３０８は、タイトル数（１）、ＩＦＯファイル、ＶＯＢファイル、ＢＵＰファイルのスタートアドレス、タイトル名等を示す情報である。前記タイトル数（１）は、タイトル数が２個あったものが１個削除され、タイトル数が１個になったことを示す。
【００４２】
ファイナライズ後では、図４（５）に示すように、データ領域において、０クリア３０９され、更に、Ｓｅｃｏｎｄ  Ａｎｃｈｏｒ  Ｐｏｉｔ３１０が設定されている。次に、リザーブド領域において、ファイルシステムとしてのＶｏｌｕｍｅ＿ａｎｄ＿Ｆｉｌｅ＿Ｓｔｒｕｃｔｕｒｅ３１１とＶＭＧＩ３１２とＶＭＧＭ＿ＶＯＢＳ（Video Management Menu Video Objects）３１３とＶＭＧＩ＿ｂｕｐ３１４とＶＴＳＩ（♯１）３１５とＶＴＳＩ（♯１）３１６が記録されている。ＶＴＳは、ビデオタイトルセット（Video Title Set）である。なお、ＶＭＧＩ３１２とＶＭＧＭ＿ＶＯＢＳ３１３とＶＭＧＩ＿ｂｕｐ３１４は、図２（３）に示すＶＭＧＩ１０６を記録する領域であるＶＭＧ領域の部分に相当するＶＭＧ領域に記録される。
【００４３】
以上説明した図４に示すデータ構造は、図２で示したデータ構造を基本として応用したものであるので、図４に示すようなデータ構造に限ることはない。
【００４４】
図５は図２に示したデータの記録手順の流れを説明するためのフローチャートである。このフローチャートおよび図１、図２を参照してＤＶＤ＋Ｒの光ディスクに対してＤＶＤ＋ＲのＶｉｄｅｏフォーマットで記録する場合の処理について説明する。
【００４５】
ＤＶＤ＋Ｒの光ディスク１が光ディスク記録再生装置に挿入され、立ち上げられた後、チューナ２９で選局されたテレビ番組（タイトル）を記録するものとして説明する。リモコン２１などにより記録操作されると、システムコントローラ２２は、記録指示されたことを検知し（ステップＳ１）、タイトルの記録を開始させる（ステップＳ２）。光ディスク記録再生装置では、図１で説明したように、チューナ２９、Ａ／Ｄ変換回路３０、ＭＰＥＧエンコーダ３１、ＲＡＭ３２、ＡＴＡＰＩ３３、記録データ変調回路２５、レーザ変調回路２６、光ピックアップ２などの動作により、光ディスク１にテレビ番組（タイトル）を記録させる。
【００４６】
システムコントローラ２２のビデオオブジェクトセット記録手段は、ＤＶＤ＋ＲのＶｉｄｅｏフォーマットでは、１タイトル目は、光ディスク１のデータ領域Ｄにおいて、予め領域を空けずに、ＶＴＳＴＴ＿ＶＯＢＳ１０１をリアルタイムで記録させ（ステップＳ３）、この記録の終了で更に、システムコントローラ２２のバックアップ記録手段は、光ディスク１のデータ領域ＤにＶＴＳＩ＿ＢＵＰ１０２を記録させる（ステップＳ４）。
【００４７】
そして、記録するタイトルが有れば、ステップＳ３〜ステップＳ５の処理が繰り返される。即ち、２タイトル目があれば、同様に、２タイトル目に対して、システムコントローラ２２のビデオオブジェクトセットは、光ディスク１のデータ領域Ｄに、ＶＴＳＴＴ＿ＶＯＢＳ１０３をリアルタイムで記録させ（ステップＳ３）、この記録の終了で更に、システムコントローラ２２のバックアップ記録手段は、光ディスク１のデータ領域ＤにＶＴＳＩ＿ＢＵＰ１０４を記録させる（ステップＳ４）。
【００４８】
記録するタイトルが無くなれば、システムコントローラ２２は、光ピックアップ１などの記録動作を停止させ、当該タイトルの光ディスク１への記録を終了させる（ステップＳ６）。
【００４９】
次に、リモコン２１によりファイナライズを行うための操作がされると、システムコントローラ２２のリザーブド領域記録手段は、ファイナライズ指示を検知し（ステップＳ８）、光ディスク１のリザーブド領域Ｒにファイルシステム１０５とＶＭＧＩ１０６とを記録し、更にＶＴＳＩをタイトルの個数だけ、この例の場合、ＶＴＳＩ１０７とＶＴＳＩ１０８とを記録する（ステップＳ９）。
【００５０】
以上説明したように本実施形態によれば、ＤＶＤ＋Ｒの光ディスクは、Ｖｉｄｅｏフォーマットで記録可能になるので、光ディスク記録再生装置の情報記録フォーマットとしてＶｉｄｅｏフォーマットだけを採用するだけで、ＤＶＤ＋Ｒ、ＤＶＤ−Ｒ、ＤＶＤ−ＲＷの光ディスクに対して記録が可能になり、ライセンス料はＶｉｄｅｏフォーマットのライセンス料のみとなり、また、情報記録フォーマットとしては、ＶｉｄｅｏフォーマットのソフトウエアだけをフラッシュＲＯＭに記憶させれば良いので、フラッシュＲＯＭの容量が小さくて済む。
【００５１】
したがって、Ｖｉｄｅｏフォーマットのみを採用している光ディスク記録再生装置であれば、コストアップせずに、ＤＶＤ＋Ｒの光ディスクに対しても記録を行うことができ、また、ＶｉｄｅｏフォーマットとＶＲフォーマットの両方を採用している光ディスク記録再生装置であれば、Ｖｉｄｅｏフォーマットのみを採用すれば、ライセンス料が低減し、フラッシュＲＯＭの容量も小さくて済むので、コストダウンを図れ、ＤＶＤ＋Ｒの光ディスクに対しても記録を行うことができる。
【産業上の利用可能性】
【００５２】
本発明は、情報記録フォーマットとしてＶｉｄｅｏフォーマットが採用された光ディスク記録再生装置（ＤＶＤレコーダ）において利用可能であり、ＤＶＤ＋Ｒの光ディスクでも、Ｖｉｄｅｏフォーマットで記録することができるようになる。
【図面の簡単な説明】
【００５３】
【図１】本発明の一実施形態に係る光ディスク記録再生装置の構成を示すブロック図である。
【図２】前記実施形態においてＤＶＤ＋Ｒの光ディスクに対してＤＶＤ＋ＲのＶｉｄｅｏフォーマットで記録する場合の手順を示すデータ構造図である。
【図３】ＤＶＤ−Ｒの光ディスクに対してＤＶＤ−ＲのＶｉｄｅｏフォーマットで記録する場合の手順を示すデータ構造図である。
【図４】前記実施形態においてＤＶＤ＋Ｒの光ディスクに対してＤＶＤ＋ＲのＶｉｄｅｏフォーマットでタイトルの各データを記録した場合の１回記録後と２回記録後とタイトル名変更後とタイトル削除後とファイナライズ後のデータ構造図である。
【図５】図２に示したデータの記録手順の流れを説明するためのフローチャートである。
【符号の説明】
【００５４】
１    光ディスク
２２    システムコントローラ（ビデオオブジェクトセット記録手段、バックアップ記録手段、記録終了手段、リザーブド領域記録手段）
【図１】
0004433005.tif 000002
【図２】
0004433005.tif 000003
【図３】
0004433005.tif 000004
【図４】
0004433005.tif 000005
【図５】
0004433005.tif 000006